(57)【要約】      （修正有）【課題】設置する場所を選ばず、公園にでも設置することができる多数の納骨が可能な納骨堂の提供。【解決手段】内部に集合式納骨ロッカーを配置した複数層のコンクリート構造物であるドーム型納骨堂は、中央部を吹き抜け空間とし、吹き抜け空間の最上部には採光部を設けるとともに納骨堂の入り口を除いて上部から山形に土盛りを施し、土盛り表面には芝付け等植栽をする。【選択図】図１
2006249892.tif 000002
【特許請求の範囲】
【請求項１】
内部に集合式納骨ロッカーを配設する室を設けた複階層のコンクリート構造物であり、当該コンクリート構造物の中央部は吹き抜けの空間とし、空間の周囲に集合式納骨ロッカーを収納する室を設け、空間の最上部には採光部を設けると共に、構造物の入り口を除いて、上部から周囲に山形に土盛りを施し、当該土盛りの表面には芝付け又は適宜の小樹を植栽してなるドーム型納骨堂。
【請求項２】
内部に集合式納骨ロッカーを配設する室を設けた複階層のコンクリート構造物であり、当該コンクリート構造物の中央部は吹き抜けの空間とし、空間の周囲に集合式納骨ロッカーを収納する室を設け、空間の最上部には採光部を設けると共に、構造物の入り口を除いて、上部から周囲に山形に土盛りを施し、当該土盛りの表面には適宜の石材を張付けてなるドーム型納骨堂。
【請求項３】
内部に集合式納骨ロッカーを配設する室を設けた複階層のコンクリート構造物であり、当該コンクリート構造物は外観を略円錐又は略四角錐又は略三角錐とし、内部の中央部分は吹き抜けの空間とし、その周囲に集合式納骨ロッカーを収納する室を設け、空間の最上部には採光部を設けると共に、コンクリート構造物の外壁には適宜の枠組みを介して太陽光発電用のモジュールを配設してなるドーム型納骨堂。
【発明の詳細な説明】
【技術分野】
【０００１】  本発明は、納骨堂に関するものであり、詳しくは内部に納骨ロッカーを配設したコンクリート構造物の周囲にドーム形に土盛を施して、当該土盛の表面には、芝付け又は適宜の小樹を植栽し又は石張りをして、納骨堂を公園等に設置しても違和感の無いようにした集合型納骨堂であり、更には当該コンクリート構造物を略円錐又は略四角錐又は略三角錐とし、コンクリート構造物の外壁には適宜の枠組みを介して太陽光発電用のモジュールを配設して、納骨堂内部の必要電力を当該太陽光発電にて賄うようにした納骨堂に関するものである。
【背景技術】
【０００２】  従来から納骨堂とか、納骨室を有する墓は広く知られている。特に巨大な納骨室を有する墓として著名なのは沖縄地方に古くからある亀甲墓であるが、従来この亀甲墓は山の斜面を切り崩し、当該斜面より亀甲部分を前面に出す形で造られていたのだが、現在ではこの古くからの造りの亀甲墓に変り、平地に設置する単体の亀甲墓、また社風の破風墓となっている。そして当初はコンクリート製であったのが現在では御影石等を用いた石造りに変ってきた。しかしこれらの墓も納骨室が巨大ではあるが、いわゆる一族の墓であり、多人数の遺骨を納骨できる構造ではなかった。このようなことから最近では寺等の一部に集合型納骨ロッカーを配設しているのが見られるが、当該納骨ロッカーは配設する場所に限定を受け、何処にでも設置するということはできなかった。【０００３】  また出願人は別途塀型の集合納骨ロッカーを開発し、実用新案登録しているが、当該塀型の集合納骨ロッカーは霊園等に設置するには最も適しているものの、やはり納骨ロッカーが露出していることから、その他の場所に設置することはできなかった。
【発明の開示】
【発明が解決しようとする課題】
【０００４】  解決しようとする問題点は、多数の納骨が可能な納骨堂であり、しかも設置する場所を選ばず、公園にでも設置することができる納骨堂を開発することが発明が解決しようとする課題である。
【課題を解決するための手段】
【０００５】  納骨堂を従来の納骨堂とは全く異なる形状とし、街中、公園等に設置しても全く違和感のない納骨堂を開発することを課題を解決するための手段としている。
【発明の効果】
【０００６】  本発明にかかる納骨堂は、内部に集合式納骨ロッカーを配設する室を設けた複階層のコンクリート構造物であり、当該コンクリート構造物の中央部は吹き抜けの空間とし、空間の周囲に集合式納骨ロッカーを収納する室を設け、空間の最上部には採光部を設けると共に、構造物の入り口を除いて、上部から周囲に山形に土盛りを施し、当該土盛りの表面には芝付け又は適宜の小樹を植栽してなるドーム型納骨堂であり、更には、内部に集合式納骨ロッカーを配設する室を設けた複階層のコンクリート構造物であり、当該コンクリート構造物の中央部は吹き抜けの空間とし、空間の周囲に集合式納骨ロッカーを収納する室を設け、空間の最上部には採光部を設けると共に、構造物の入り口を除いて、上部から周囲に山形に土盛りを施し、当該土盛りの表面には適宜の石材を張付けてなるドーム型納骨堂であり、更には、内部に集合式納骨ロッカーを配設する室を設けた複階層のコンクリート構造物であり、当該コンクリート構造物は外観を略円錐又は略四角錐又は略三角錐とし、内部の中央部分は吹き抜けの空間とし、その周囲に集合式納骨ロッカーを収納する室を設け、空間の最上部には採光部を設けると共に、コンクリート構造物の外壁には適宜の枠組みを介して太陽光発電用のモジュールを配設してなるドーム型納骨堂であるから、コンクリート構造物の内部に、中央に吹き抜けの空間を残して周囲に集合型の納骨ロッカーを配設しているので、一基の納骨堂で数百単位の納骨が可能であり、又吹き抜けの最上部には採光部を設けているので、納骨堂内部に太陽光を導くことができ、しかもコンクリート構造物の周囲から上部には山形、即ちドーム型に土盛を施し、当該土盛の表面には芝をつけたり、小樹木を植栽したり、又石張りを施しているので、自然と合致し、街中又は公園の内部に設置しても、周囲と全く違和感はない。また、コンクリート構造物の外壁に適宜の枠組みを介して太陽光発電用のモジュールを配設したものにあっては、納骨堂内部で必要とされる電力が確保されるので、省エネにも効果を発揮するものであり、街中のコンクリート建造物とも合致して違和感は全くない等、極めて顕著なる種々の効果が得られるものである。
【発明を実施するための最良の形態】
【０００７】  本発明は、内部に集合式納骨ロッカーを配設する室を設けた複階層のコンクリート構造物であり、当該コンクリート構造物の中央部は吹き抜けの空間とし、空間の周囲に集合式納骨ロッカーを収納する室を設け、空間の最上部には採光部を設けると共に、構造物の入り口を除いて、上部から周囲に山形に土盛りを施し、当該土盛りの表面には芝付け又は適宜の小樹を植栽してなるドーム型納骨堂であり、更には、内部に集合式納骨ロッカーを配設する室を設けた複階層のコンクリート構造物であり、当該コンクリート構造物の中央部は吹き抜けの空間とし、空間の周囲に集合式納骨ロッカーを収納する室を設け、空間の最上部には採光部を設けると共に、構造物の入り口を除いて、上部から周囲に山形に土盛りを施し、当該土盛りの表面には適宜の石材を張付けてなるドーム型納骨堂であり、更には、内部に集合式納骨ロッカーを配設する室を設けた複階層のコンクリート構造物であり、当該コンクリート構造物は外観を略円錐又は略四角錐又は略三角錐とし、内部の中央部分は吹き抜けの空間とし、その周囲に集合式納骨ロッカーを収納する室を設け、空間の最上部には採光部を設けると共に、コンクリート構造物の外壁には適宜の枠組みを介して太陽光発電用のモジュールを配設してなるドーム型納骨堂を呈せんとするものである。
【実施例１】
【０００８】  図１は納骨堂の構造を説明するための断面した斜視図、図２は同じく納骨堂内部を説明するための断面した側面図。図３は部分平面図。図４は納骨ロッカーの斜視図、図５は納骨ロッカーの側面図。図６は二の実施例の側面図である。【０００９】  ドーム型納骨堂１は、二階、三階等の複数階からなるコンクリート構造物２が骨格となり、当該コンクリート構造物２は中央部分３を吹き抜けとし、当該吹き抜けの周囲に納骨室４を設けている。各階層の納骨室４には納骨ロッカー５を配設している。納骨ロッカー５としては、図１及び図２に示すように単体のロッカーを適宜載置してもよいが、納骨室４内に図４及び図５に示すような納骨ロッカー５を配設してもよい。当該納骨ロッカー５の形状及び構造に限定を受けるものではない。６は各階層の床７を支える柱である。中央部分吹き抜けの最上部には採光部８を設け、納骨堂内部に太陽光を導くように構成している。図示はしていないが、上層階へ上がる階段は設置しており、一階には入り口形成されている。また一階の中央吹き抜け部分ロビー９には礼拝所を設けている。尚、参拝者のために、コンピューターにて礼拝しようとする納骨ロッカー５の位置が詳細に判別でき、しかも当該納骨ロッカー５まで参拝者を誘導するように構成されている。【００１０】  コンクリート構造物２の入り口を覗く周囲及び採光部８除く上部には山形、即ち全体がドーム型となるように土盛り１０をし、当該土盛り１０の表面１１には芝付けをするか、或いは小樹木を植栽している。【００１１】  土盛り１０の表面１１に芝付け又は小樹木の植栽にかわり、石張りとしてもよく、又、芝付け又は小樹木の植栽と石張りを併合してもよい。【００１２】  コンクリート構造物２を略円錐形状、略四角錐形状又は略三角錐形状とし、当該コンクリート構造物２の外壁には、適宜の枠組み等を介して太陽光発電用のモジュール１２を配設している。当該モジュール１２は東南方向及び西方向の三面に配設することが効率上から望ましい。モジュール１２を配設しない北側はモジュール１２に類似したガラス張りとしている。
【産業上の利用可能性】
【００１３】  本発明にかかる納骨堂は、内部に集合式納骨ロッカー５を配設する納骨室４を設けた複階層のコンクリート構造物２であり、当該コンクリート構造物２の中央部３は吹き抜けの空間とし、空間の周囲に集合式納骨ロッカー５を収納する納骨室４を設け、空間の最上部には採光部８を設けると共に、構造物の入り口を除いて、上部から周囲に山形に土盛り１０を施し、当該土盛り１０の表面１１には芝付け又は適宜の小樹を植栽してなるドーム型納骨堂１であり、更には、内部に集合式納骨ロッカー５を配設する納骨室４を設けた複階層のコンクリート構造物２であり、当該コンクリート構造物２の中央部３は吹き抜けの空間とし、空間の周囲に集合式納骨ロッカー５を収納する納骨室４を設け、空間の最上部には採光部８を設けると共に、構造物の入り口を除いて、上部から周囲に山形に土盛り１０を施し、当該土盛り１０の表面１１には適宜の石材を張付けてなるドーム型納骨堂１であり、更には、内部に集合式納骨ロッカー５を配設する納骨室４を設けた複階層のコンクリート構造物２であり、当該コンクリート構造物２は外観を略円錐又は略四角錐又は略三角錐とし、内部の中央部分３は吹き抜けの空間とし、その周囲に集合式納骨ロッカー５を収納する納骨室４を設け、空間の最上部には採光部８を設けると共に、コンクリート構造物２の外壁には適宜の枠組みを介して太陽光発電用のモジュール１２を配設してなるドーム型納骨堂１であるから、コンクリート構造物２の内部に、中央３に吹き抜けの空間を残して周囲に集合型の納骨ロッカー５を配設しているので、一基の納骨堂で数百単位の納骨が可能であり、又吹き抜けの最上部には採光部８を設けているので、納骨堂１内部に太陽光を導くことができ、しかもコンクリート構造物２の周囲から上部には山形、即ちドーム型に土盛り１０を施し、当該土盛り１０の表面１１には芝をつけたり、小樹木を植栽したり、又石張りを施しているので、自然と合致し、街中又は公園の内部に設置しても、周囲と全く違和感はない。また、コンクリート構造物２の外壁に適宜の枠組みを介して太陽光発電用のモジュール１２を配設したものにあっては、納骨堂１内部で必要とされる電力が確保されるので、省エネにも効果を発揮するものであり、街中のコンクリート建造物とも合致して違和感は全くない等、極めて顕著なる種々の効果が得られるものである等、産業上の利用可能性が極めて大である。
【図面の簡単な説明】
【００１４】
【図１】  納骨堂の構造を説明するための断面した斜視図である。
【図２】  納骨堂内部を説明するための断面した側面図である。
【図３】  部分平面図である。
【図４】  納骨ロッカーの斜視図である。
【図５】  納骨ロッカーの側面図である。
【図６】  二の実施例の側面図である。
【符号の説明】
【００１５】１    ドーム型納骨堂
２    コンクリート構造物
３    中央部分
４    納骨室
５    納骨ロッカー
６    柱
７    床
８    採光部
９    ロビー
１０  土盛り
１１  土盛り表面
１２  太陽光発電用モジュール
【図１】
2006249892.tif 000003
【図２】
2006249892.tif 000004
【図３】
2006249892.tif 000005
【図４】
2006249892.tif 000006
【図５】
2006249892.tif 000007
【図６】
2006249892.tif 000008